【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
紙、板紙または厚紙を製造する方法であって、
(a)デンプンを含有するセルロース系材料をパルプ化するステップと、
(b)デンプンを含有するセルロース系材料を1つまたは複数の殺生物剤で処理するステップと、
(h)セルロース系材料にイオン性ポリマーおよび補助的イオン性ポリマーを加えるステップであって、イオン性ポリマーは補助的イオン性ポリマー同様にカチオン性であり、イオン性ポリマーは補助的ポリマーよりも大きな平均分子量を有し、補助的イオン性ポリマーのイオン性とイオン性ポリマーのイオン性の相対的差異は少なくとも5mol%であり、且つイオン性とはモノマー単位の総量と比較したイオン性モノマー単位のモル含有量であるステップと、
を含む方法。
【請求項２】
(i)イオン性ポリマーが、イオン性モノマー単位のホモポリマーであり、補助的イオン性ポリマーが、イオン性モノマー単位及び非イオン性モノマー単位を含むコポリマーであるか、
(ii)イオン性ポリマーが、イオン性モノマー単位及び非イオン性モノマー単位を含むコポリマーであり、補助的イオン性ポリマーが、イオン性モノマー単位のホモポリマーであるか、あるいは
(iii)イオン性ポリマーが、補助的イオン性ポリマー同様に、それぞれがイオン性モノマー単位及び非イオン性モノマー単位を含むコポリマーである、
請求項1に記載の方法。
【請求項３】
イオン性ポリマーが、2.5から40モル％のカチオン性モノマー単位を含む、請求項1に記載の方法。
【請求項４】
イオン性ポリマー及び／または補助的イオン性ポリマーの製造に使用されたカチオン性モノマーが、
・C1〜6アルキル基及びC1〜6アルキレン基を有する第四級ジアルキルアミノアルキル（メタ）アクリレート；
・C1〜6アルキル基及びC1〜6アルキレン基を有する第四級ジアルキルアミノアルキル（メタ）アクリルアミド；及び
・ジアリルジメチルアンモニウムクロリド
から選択される、請求項1に記載の方法。
【請求項５】
イオン性ポリマー及び補助的イオン性ポリマーが、互いに独立に、第四級N,N-ジメチルアミノエチルアクリレート、第四級N,N-ジメチルアミノプロピルアクリルアミド、及びジアリルジメチルアンモニウムクロリドからなる群より選択されるカチオン性モノマー単位、並びに、アクリルアミド、メタクリルアミド、ビニルアミド、及びビニルアミンからなる群より選択される非イオン性モノマー単位を含む、請求項1に記載の方法。
【請求項６】
(i)イオン性ポリマーが、N,N,N-トリアルキルアンモニウムアルキル（メタ）アクリレート、N,N,N-トリアルキルアンモニウムアルキル（メタ）アクリルアミド、またはジアリルジアルキルアンモニウムハロゲン化物に由来するカチオン性モノマー単位を含み、且つ、
(ii)補助的イオン性ポリマーが、ジアリルジアルキルアンモニウムハロゲン化物、好ましくはジアリルジメチルアンモニウムクロリドに由来するモノマー単位を含む、
請求項1に記載の方法。
【請求項７】
(i)イオン性ポリマーが、第四級N,N-ジメチルアミノエチルアクリレートに由来するカチオン性モノマー単位を含み、且つ
(ii)補助的イオン性ポリマーが、ジアリルジアルキルアンモニウムハロゲン化物、好ましくはジアリルジメチルアンモニウムクロリドに由来するモノマー単位を含む、
請求項1に記載の方法。
【請求項８】
(i)イオン性ポリマーが、少なくとも5モル％のイオン性を有し、且つ
(ii)補助的イオン性ポリマーが、少なくとも90モル％のイオン性を有する、
請求項1に記載の方法。
【請求項９】
(i)イオン性ポリマーが、ジアリルジメチルアンモニウムクロリドに由来するカチオン性モノマー単位を含み、且つ
(ii)補助的イオン性ポリマーが、ジアリルジメチルアンモニウムクロリドに由来するモノマー単位を含む、
請求項1に記載の方法。
【請求項１０】
(i)イオン性ポリマーが、N,N,N-トリアルキルアンモニウムアルキル（メタ）アクリルアミド及びジアリルジメチルアンモニウムクロリドに由来するカチオン性モノマー単位を含み、且つ
(ii)補助的イオン性ポリマーが、ジアリルジメチルアンモニウムクロリドに由来するモノマー単位を含む、
請求項1に記載の方法。
【請求項１１】
(i)イオン性ポリマーが、N,N,N-トリアルキルアンモニウムアルキル（メタ）アクリルアミドに由来するカチオン性モノマー単位を含み、且つ
(ii)補助的イオン性ポリマーが、N,N,N-トリアルキルアンモニウムアルキル（メタ）アクリルアミドに由来するモノマー単位を含む、
請求項1に記載の方法。
【請求項１２】
(i)イオン性ポリマーが、ジアリルジメチルアンモニウムクロリドに由来するカチオン性モノマー単位を含み、且つ
(ii)補助的イオン性ポリマーが、N,N,N-トリアルキルアンモニウムアルキル（メタ）アクリルアミドに由来するモノマー単位を含む、
請求項1に記載の方法。
【請求項１３】
(i)イオン性ポリマーが、N,N,N-トリアルキルアンモニウムアルキル（メタ）アクリレート、N,N,N-トリアルキルアンモニウムアルキル（メタ）アクリルアミド、またはジアリルジアルキルアンモニウムハロゲン化物に由来するカチオン性モノマー単位を含み、且つ
(ii)補助的イオン性ポリマーが、N,N,N-トリアルキルアンモニウムアルキル（メタ）アクリルアミドに由来するモノマー単位を含む、
請求項1に記載の方法。
【請求項１４】
補助的イオン性ポリマーがイオン性ポリマーより高いイオン性を有し、補助的イオン性ポリマーのイオン性とイオン性ポリマーのそれとの間の相対差は少なくとも30モル%である、請求項1から13のいずれか一項に記載の方法。
【請求項１５】
(i)イオン性ポリマーが20から45モル%の範囲内のイオン性を有し、且つ
(ii)補助的イオン性ポリマーが少なくとも90モル%のイオン性を有する、
請求項14に記載の方法。
【請求項１６】
イオン性ポリマーおよび/または補助的イオン性ポリマーが、セルロース系材料が少なくとも2.0重量%のストック粘稠度を有する濃厚ストックエリアでセルロース系材料に加えられる、請求項1から15のいずれかに記載の方法。
【請求項１７】
イオン性ポリマーおよび/または補助的イオン性ポリマーが、セルロース系材料が2.0重量%未満のストック粘稠度を有する希薄ストックエリア中でセルロース系材料に加えられる、請求項1から16のいずれかに記載の方法。
【請求項１８】
1つまたは複数の殺生物剤が、製紙機械を含む製紙プラントのセクション(I)および/またはセクション(II)に、および任意選択でセクション(III)および/またはセクション(IV)にも加えられ、セクション(I)はパルプ化の前に行われる測定を含み、セクション(II)はパルプ化と関連する測定を含み、セクション(III)は、パルプ化の後であるがなお製紙機械の外で行われる測定を含み、セクション(IV)は、製紙機械の中で行われる測定を含む、請求項1から17のいずれかに記載の方法。
【請求項１９】
1つまたは複数の殺生物剤が、ハロゲン供給源と一緒に無機のアンモニウム塩を含む、請求項1から18のいずれかに記載の方法。
【請求項２０】
1つまたは複数の殺生物剤が酸化的であり、および/または2つの成分を含む、請求項1から19のいずれかに記載の方法。
【請求項２１】
ステップ(b)で加えられる1つまたは複数の殺生物剤に加えて、ステップ(b)で加えられる1つまたは複数の殺生物剤と異なるさらなる殺生物剤がセルロース系材料に加えられる、請求項1から20のいずれかに記載の方法。
【請求項２２】
さらなる殺生物剤が、製紙機械を含む製紙プラントのセクション(I)および/またはセクション(II)に、および任意選択でセクション(III)および/またはセクション(IV)にも加えられ、セクション(I)はパルプ化の前に行われる測定を含み、セクション(II)はパルプ化と関連する測定を含み、セクション(III)は、パルプ化の後であるがなお製紙機械の外で行われる測定を含み、セクション(IV)は、製紙機械の中で行われる測定を含むか、または、
さらなる殺生物剤が非酸化性であるか、または、
さらなる殺生物剤が、第四級アンモニウム化合物、ベンジル-C12〜16-アルキルジメチルクロリド、ポリヘキサメチレン-ビグアニド、1,2-ベンズイソチアゾール-3(2H)-オン、ブロノポール、ビス-(トリクロロメチル)スルホン、ジヨードメチル-p-トリルスルホン、ブロノポール/第四級アンモニウム化合物、ベンジル-C12〜16-アルキルジメチルクロリド、ブロノポール/ジデシル-ジメチルアンモニウムクロリド、ブロノポール/5-クロロ-2-メチル-2H-イソチアゾール-3-オン/2-メチル-2H-イソチアゾール-3-オン、ジメチルジチオカルバミン酸ナトリウム-N,N-ジチオカルバメート/ジメチルジチオカルバミン酸ナトリウム、ジメチルジチオカルバミン酸ナトリウム-N,N-ジチオカルバメート、メチルジチオカルバミン酸ナトリウム、ジメチルジチオカルバミン酸ナトリウム、5-クロロ-2-メチル-4-イソチアゾリン-3-オン、2,2-ジブロモ-2-シアノアセトアミド、2,2-ジブロモ-2-シアノアセトアミド/ブロノポール/2-メチル-2H-イソチアゾール-3-オン、4,5-ジクロロ-2-n-オクチル-3-イソチアゾリン-3-オン、ジデシル-ジメチルアンモニウムクロリド、ジデシルジメチルアンモニウムクロリド、アルキルジメチルベンジルアンモニウムクロリド、ドデシルグアニジンモノヒドロクロリド/第四級アンモニウム化合物、ベンジル-C12〜16-アルキルジメチルクロリド、ドデシルグアニジンモノヒドロクロリド/メチレンジチオシアネート、グルテルアルデヒド、グルテルアルデヒド/第四級アンモニウム化合物/ベンジルココアルキルジメチルクロリド、グルテルアルデヒド/ジデシルジメチルアンモニウムクロリド、グルテルアルデヒド/5-クロロ-2-メチル-2H-イソチアゾール-3-オン/2-メチル-2H-イソチアゾール-3-オン、グルテルアルデヒド/メチレンジチオシアネート、5-クロロ-2-メチル-2H-イソチアゾール-3-オン/2-メチル-2H-イソチアゾール-3-オン、メチレンジチオシアネート、2-メチル-4-イソチアゾリン-3-オン、メタミンオキシラン、臭化ナトリウム、ニトロメチリジントリメタノール、2-n-オクチル-3-イソチアゾリン-3-オン、ビス(トリクロロメチル)スルホン/第四級アンモニウム化合物、ベンジル-C12〜16-アルキルジメチルクロリド、シムクロセン、テルブチラジン、ダゾメット、テトラキス(ヒドロキシメチル)ホスホニウムスルフェート(2:1)およびp-[(ジヨードメチル)スルホニル]トルエン、およびそれらの混合物からなる群から選択される有機殺生物剤である、
請求項21に記載の方法。
【請求項２３】
イオン性ポリマーおよび/または補助的イオン性ポリマーが、マシンチェスト、ミキシングチェスト、および/または調節箱で加えられる、請求項1から22のいずれかに記載の方法。
【請求項２４】
(i)イオン性ポリマーが、製紙機械を含む製紙プラントのセクション(II)および/またはセクション(III)および/またはセクション(IV)に加えられ、
(ii)補助的イオン性ポリマーがセクション(II)および/またはセクション(III)および/またはセクション(IV)に加えられ、
セクション(II)はパルプ化と関連する測定を含み、セクション(III)は、パルプ化の後であるがなお製紙機械の外で行われる測定を含み、セクション(IV)は、製紙機械の中で行われる測定を含む、請求項1から23のいずれかに記載の方法。